【手続補正書】
【提出日】平成18年5月26日(2006.5.26)
【手続補正１】
【補正対象書類名】特許請求の範囲
【補正対象項目名】全文
【補正方法】変更
【補正の内容】
【特許請求の範囲】
【請求項１】
ネジ端子台と接続用の差込プラグを備えた専用端子台の前記差込プラグに接続される変換コネクタであって、前記専用端子台の信号をフラットケーブル用コネクタに伝える変換コネクタにおいて、
前記差込プラグが差し込まれて電気的に接続する受けピンと、
前記受けピンが表面に固着された第１のプリント基板と、
突部に形成された窓に前記受けピンが内包されるとともに前記第１のプリント基板を固定するベースと、
フラットケーブル用小型コネクタが取り付けられて前記ベースまたは前記第１のプリント基板のいずれかまたは両方に固定された第２のプリント基板と、
前記第１のプリント基板と前記第２のプリント基板を接続する渡り線と、
を備え、前記専用端子台と前記フラットケーブル用コネクタを電気的に接続することを特徴とする変換コネクタ。
【請求項２】
ネジ端子台と接続用の差込プラグを備えた専用端子台とフラットケーブル用コネクタとの間で使われる変換コネクタにおいて、
前記差込プラグが差し込まれる受けピンと、
前記受けピンが表面に固着されるとともに前記フラットケーブル用コネクタが取付けられたプリント基板と、
前記受けピンを内包する窓を備えて前記プリント基板を固定するベースと、
前記フラットケーブル用コネクタを除いて前記プリント基板を覆うよう前記ベースに固定されたカバーと
を備え、前記専用端子台と前記フラットケーブル用コネクタを電気的に接続することを特徴とする変換コネクタ。
【請求項３】
ネジ端子台と接続用の差込プラグを備えた専用端子台の前記差込プラグに接続される変換コネクタであって、前記専用端子台の信号をフラットケーブル用コネクタに伝える変換コネクタにおいて、
前記差込プラグが差し込まれて電気的に接続する受けピンと、
前記受けピンが表面に垂直になるよう固着された第１のプリント基板と、
突部に形成された窓に前記受けピンが内包されるとともに前記窓と反対側に前記第１のプリント基板を固定するベースと、
ピンが板と平行になるようフラットケーブル用小型コネクタが端部に取り付けられるとともに前記第１のプリント基板と平行になるよう前記ベースまたは前記第１のプリント基板のいずれかまたは両方に固定された第２のプリント基板と、
前記第１のプリント基板と前記第２のプリント基板を接続する渡り線と、
を備え、前記専用端子台と前記フラットケーブル用コネクタを電気的に接続することを特徴とする変換コネクタ。
【請求項４】
ネジ端子台と接続用の差込プラグを備えた専用端子台とフラットケーブル用コネクタとの間で使われる変換コネクタにおいて、
前記差込プラグが差し込まれる受けピンと、
前記受けピンが表面に垂直に固着されるとともにピンが板と平行になるよう前記フラットケーブル用コネクタが取付けられたプリント基板と、
前記受けピンを内包する窓を備えて前記プリント基板を固定するベースと、
前記フラットケーブル用コネクタを除いて前記プリント基板を覆うよう前記ベースに固定されるとともに制御盤固定用の固定具が取付けられたカバーと
を備え、前記専用端子台と前記フラットケーブル用コネクタを電気的に接続することを特徴とする変換コネクタ。
【請求項５】
ネジ端子台を備えた専用端子台の差込プラグに接続される受けピンと、その受けピンを固定したプリント基板と、そのプリント基板を固定したプリント基板コネクタからなるプリント基板ユニットにおいて、
新コネクタが取り付けられた第２のプリント基板を備え、
前記プリント基板の回路パターンと、前記第２のプリント基板の回路パターンと、前記プリント基板と前記第２のプリント基板を接続する渡り線とにより、前記受けピンと前記新コネクタが電気的に接続されたことを特徴とする変換コネクタ。
【請求項６】
ネジ端子台を備えた専用端子台の差込プラグに接続され、制御盤に取付けられる変換コネクタにおいて、
前記差込プラグが差し込まれて電気的に接続する受けピンと、
前記受けピンが固着された第１のプリント基板と、
前記第１のプリント基板を固定するベースと、
新コネクタが取り付けられて前記ベースまたは前記第１のプリント基板のいずれかまたは両方に固定された第２のプリント基板と、
前記第１のプリント基板と前記第２のプリント基板を接続する渡り線と、
を備え、前記受けピンと前記新コネクタを電気的に接続することを特徴とする変換コネクタ。
【請求項７】
ネジ端子台と差込プラグを備えた専用端子台と新コネクタとの間で使われる変換コネクタにおいて、
前記差込プラグが差し込まれる受けピンと、
前記受けピンが取付けられたプリント基板と、
前記プリント基板を固定するベースと、
前記新コネクタを除いて前記プリント基板を覆うよう前記ベースに固定されたカバーと
を備え、前記受けピンと前記新コネクタを電気的に接続することを特徴とする変換コネクタ。
【請求項８】
前記専用端子台の差込プラグに係合するコネクタを備えたプリント基板ユニットが複数用いられた旧制御盤を新制御盤もしくは新規製作の制御ユニットに取り替えて更新する制御盤の更新方法において、
請求項１ないし７のいずれかに記載の変換コネクタを予め前記新制御盤もしくは前記新規製作の制御ユニットに取り付けておき、
前記ネジ端子台からケーブルを取り外すことなく前記専用端子台を前記旧制御盤から取り外し、
前記旧制御盤を撤去し、
前記新制御盤もしくは前記新規製作の制御ユニットを前記旧制御盤が設置してあった場所ないしその近傍に設置し、
前記専用端子台を前記変換コネクタに接続する
という手順で更新することを特徴とする制御盤の更新方法。
【請求項９】
請求項１ないし７のいずれかに記載の変換コネクタを用い、請求項８に記載の方法で更新されたことを特徴とする制御盤。
【手続補正２】
【補正対象書類名】明細書
【補正対象項目名】０００４
【補正方法】変更
【補正の内容】
【０００４】
上記問題を解決するため、本発明は、次のように構成したのである。
すなわち請求項１に記載の本発明は、ネジ端子台と接続用の差込プラグを備えた専用端子台の前記差込プラグに接続される変換コネクタであって、前記専用端子台の信号をフラットケーブル用コネクタに伝える変換コネクタにおいて、前記差込プラグが差し込まれて電気的に接続する受けピンと、前記受けピンが表面に固着された第１のプリント基板と、突部に形成された窓に前記受けピンが内包されるとともに前記第１のプリント基板を固定するベースと、フラットケーブル用小型コネクタが取り付けられて前記ベースまたは前記第１のプリント基板のいずれかまたは両方に固定された第２のプリント基板と、前記第１のプリント基板と前記第２のプリント基板を接続する渡り線と、を備え、前記専用端子台と前記フラットケーブル用コネクタを電気的に接続することを特徴としている。
また請求項２に記載の発明は、ネジ端子台と接続用の差込プラグを備えた専用端子台とフラットケーブル用コネクタとの間で使われる変換コネクタにおいて、前記差込プラグが差し込まれる受けピンと、前記受けピンが表面に固着されるとともに前記フラットケーブル用コネクタが取付けられたプリント基板と、前記受けピンを内包する窓を備えて前記プリント基板を固定するベースと、前記フラットケーブル用コネクタを除いて前記プリント基板を覆うよう前記ベースに固定されたカバーとを備え、前記専用端子台と前記フラットケーブル用コネクタを電気的に接続することを特徴としている。
また請求項３に記載の発明は、ネジ端子台と接続用の差込プラグを備えた専用端子台の前記差込プラグに接続される変換コネクタであって、前記専用端子台の信号をフラットケーブル用コネクタに伝える変換コネクタにおいて、前記差込プラグが差し込まれて電気的に接続する受けピンと、前記受けピンが表面に垂直になるよう固着された第１のプリント基板と、突部に形成された窓に前記受けピンが内包されるとともに前記窓と反対側に前記第１のプリント基板を固定するベースと、ピンが板と平行になるようフラットケーブル用小型コネクタが端部に取り付けられるとともに前記第１のプリント基板と平行になるよう前記ベースまたは前記第１のプリント基板のいずれかまたは両方に固定された第２のプリント基板と、前記第１のプリント基板と前記第２のプリント基板を接続する渡り線と、を備え、前記専用端子台と前記フラットケーブル用コネクタを電気的に接続することを特徴としている。
また請求項４に記載の発明は、ネジ端子台と接続用の差込プラグを備えた専用端子台とフラットケーブル用コネクタとの間で使われる変換コネクタにおいて、前記差込プラグが差し込まれる受けピンと、前記受けピンが表面に垂直に固着されるとともにピンが板と平行になるよう前記フラットケーブル用コネクタが取付けられたプリント基板と、前記受けピンを内包する窓を備えて前記プリント基板を固定するベースと、前記フラットケーブル用コネクタを除いて前記プリント基板を覆うよう前記ベースに固定されるとともに制御盤固定用の固定具が取付けられたカバーとを備え、前記専用端子台と前記フラットケーブル用コネクタを電気的に接続することを特徴としている。
また請求項５に記載の発明は、ネジ端子台を備えた専用端子台の差込プラグに接続される受けピンと、その受けピンを固定したプリント基板と、そのプリント基板を固定したプリント基板コネクタからなるプリント基板ユニットにおいて、新コネクタが取り付けられた第２のプリント基板を備え、前記プリント基板の回路パターンと、前記第２のプリント基板の回路パターンと、前記プリント基板と前記第２のプリント基板を接続する渡り線とにより、前記受けピンと前記新コネクタが電気的に接続されたことを特徴としている。
また請求項６に記載の発明は、ネジ端子台を備えた専用端子台の差込プラグに接続され、制御盤に取付けられる変換コネクタにおいて、前記差込プラグが差し込まれて電気的に接続する受けピンと、前記受けピンが固着された第１のプリント基板と、前記第１のプリント基板を固定するベースと、新コネクタが取り付けられて前記ベースまたは前記第１のプリント基板のいずれかまたは両方に固定された第２のプリント基板と、前記第１のプリント基板と前記第２のプリント基板を接続する渡り線と、を備え、前記受けピンと前記新コネクタを電気的に接続することを特徴としている。
また請求項７に記載の発明は、ネジ端子台と差込プラグを備えた専用端子台と新コネクタとの間で使われる変換コネクタにおいて、前記差込プラグが差し込まれる受けピンと、前記受けピンが取付けられたプリント基板と、前記プリント基板を固定するベースと、前記新コネクタを除いて前記プリント基板を覆うよう前記ベースに固定されたカバーとを備え、前記受けピンと前記新コネクタを電気的に接続することを特徴としている。
また請求項８に記載の発明は、前記専用端子台の差込プラグに係合するコネクタを備えたプリント基板ユニットが複数用いられた旧制御盤を新制御盤もしくは新規製作の制御ユニットに取り替えて更新する制御盤の更新方法において、請求項１ないし７のいずれかに記載の変換コネクタを予め前記新制御盤もしくは前記新規製作の制御ユニットに取り付けておき、前記ネジ端子台からケーブルを取り外すことなく前記専用端子台を前記旧制御盤から取り外し、前記旧制御盤を撤去し、前記新制御盤もしくは前記新規製作の制御ユニットを前記旧制御盤が設置してあった場所ないしその近傍に設置し、前記専用端子台を前記変換コネクタに接続するという手順で更新することを特徴としている。
また請求項９に記載の発明は、請求項１ないし７のいずれかに記載の変換コネクタを用い、請求項８に記載の方法で更新されたことを特徴としている。
【手続補正３】
【補正対象書類名】明細書
【補正対象項目名】０００５
【補正方法】変更
【補正の内容】
【０００５】
請求項１ないし９に記載の発明によると、専用端子台に接続された多数の単芯ケーブルをはずす必要は無く、専用端子台を旧制御盤から取り外して旧制御盤に置換えられた新制御盤もしくは新規製作の制御ユニットに取り付けて固定するだけでよいので、作業が速やかに行なわれて作業時間が大幅に短縮できるとともに、１本１本のケーブルの取り外しと取り付け作業がなくなることによって接続ミスが無くなり、また作業者にとっては煩わしさから開放されるので、制御盤の更新作業を信頼性のあるものにすることができるという効果がある。